(57)【要約】【課題】簡単な構造でセンサの数を少なくすることができ、コストダウンが図られると共に設計上の制約を少なくすることができる給紙用の用紙サイズ検出装置を提供する。【解決手段】載置された用紙Ｄを幅寄せする為の幅寄ガイド部材２６を備えた給紙用の用紙載置部２Ｂにおける用紙サイズ検出装置であって、前記用紙載置部２Ｂ下の幅方向一側方部に、幅方向に沿って複数の用紙幅検出センサ２２が隔設され、前記幅寄ガイド部材２６は、前記用紙載置部２Ｂ上面に幅方向に沿ってスライド自在に取付けられると供にその裏面には、上記スライド動作に伴い前記複数の用紙幅検出センサ２２を同時にオンとし得る長さの作用片２６ｂが垂設されていることを特徴とする。【選択図】          図４
2005178994.tif 000002
【特許請求の範囲】
【請求項１】
載置された用紙を幅寄せする為の幅寄ガイド部材を備えた給紙用の用紙載置部における用紙サイズ検出装置であって、
前記用紙載置部下の幅方向一側方部に、幅方向に沿って隔設された複数のセンサからなる用紙幅検出手段を備え、前記幅寄ガイド部材は、前記用紙載置部上面に幅方向に沿ってスライド自在に取付けられると供にその裏面には、上記スライド動作に伴い前記複数のセンサを同時にオンとし得る長さの作用片が垂設されていることを特徴とする用紙サイズ検出装置。
【請求項２】
前記用紙載置部の他側方部における前記用紙幅検出手段の上流側には、用紙有無センサが配設されていることを特徴とする請求項１記載の用紙サイズ検出装置。
【請求項３】
前記用紙幅検出手段を構成するセンサは、用紙載置部に載置される用紙の前端位置から最大用紙長さの１／２以内の位置に配置され、一方前記用紙有無センサは、用紙載置部の前端部から最大用紙長さの１／２の位置よりも上流側の位置に配置されていることを特徴とする請求項２記載の用紙サイズ検出装置。
【発明の詳細な説明】
【技術分野】
【０００１】
本発明は、ファクシミリ装置、複写機、プリンタ（これらの複合機も含む）等の画像形成装置において、原稿や記録紙を読取部や記録部に向け１枚ずつ繰出し、給紙する為の用紙載置部における用紙サイズ検出装置に関する。
【背景技術】
【０００２】
一般に、電子写真複写機やファクシミリ装置においては、原稿トレイにセットされた原稿を１枚ずつ分離して読取部に連続供給する自動原稿送り装置（ＡＤＦ）を備えている。また、上記装置やプリンタの場合、カセット式の給紙部や手差しトレイが設けられ、記録紙を１枚ずつ分離して記録部に連続供給するようになされている。上記のようなＡＤＦ装置や、手差しトレイによる給紙装置においては、給送用紙のサイズを判定する為の用紙幅検出手段が用紙載置部や用紙搬送路に設けられ、この用紙幅検出手段による検出情報に基づき読取部や記録部の制御がなされる。このような用紙幅検出手段が設けられた給紙装置の例としては、特許文献１或いは特許文献２に開示されたものが挙げられる。
【特許文献１】特開平０８−１３３５５１号公報
【特許文献２】特開平１０−１９４４６９号公報
【発明の開示】
【発明が解決しようとする課題】
【０００３】
上記特許文献１に開示されたシート（用紙）搬送装置においては、例えば、Ａ３用紙を最大サイズとする標準仕様の装置の場合、少なくともＡ４（縦）、Ｂ４（縦）及びＡ３（縦）用紙の夫々の作用によってオンとされる３個のセンサを、用紙給送方向に直交する方向に適宜間隔で併設して用紙幅検出手段を構成している。このように、Ａ３用紙を最大サイズとする標準仕様の装置においては、用紙幅検出手段として最低３個のセンサを必要とし、これがコストアップの一要因となっていた。また、限られたスペース内にその設置スペースを確保する必要があり、設計上の制約も無視できないものであった。尚、ここで（縦）とは、用紙の長辺が用紙の給送方向を向いていることを意味する。
【０００４】
また、特許文献２には、原稿載置トレイ上の一対のサイドガイドの離間距離をセンサにより検知することで原稿の幅方向のサイズを判定する装置が開示されている。この装置におけるサイドガイドの離間距離の検出は、一方のサイドガイドと連動するラックに可変レバーを取付け、この可変レバーのスライド式ボリューム抵抗器に対する移動量に基づく抵抗値の変化により上記離間距離を判定せんとするものである。その他、本特許文献２には、ロータリー式のボリューム抵抗器、圧電式の位置検出手段、或いは光学式エンコーダーによる移動距離検知手段等が採用可能である旨記載されている。しかし、これらの用紙幅検出手段は、いずれも装置が大掛かりであってコスト高となり、その制御シークエンスも複雑となることが予想されるところである。
【０００５】
本発明は、上記のような実情に鑑みなされたものであり、簡単な構造でセンサの数を少なくすることができ、コストダウンが図られると共に設計上の制約を少なくすることができる給紙用の用紙サイズ検出装置を提供するものである。
【課題を解決するための手段】
【０００６】
本発明の用紙サイズ検出装置は載置された用紙を幅寄せする為の幅寄ガイド部材を備えた給紙用の用紙載置部における用紙サイズ検出装置であって、前記用紙載置部下の幅方向一側方部に、幅方向に沿って隔設された複数のセンサからなる用紙幅検出手段を備え、前記幅寄ガイド部材は、前記用紙載置部上面に幅方向に沿ってスライド自在に取付けられると供にその裏面には、上記スライド動作に伴い前記複数のセンサを同時にオンとし得る長さの作用片が垂設されていることを特徴とする。
【０００７】
請求項２の発明は、前記用紙載置部の他側方部における前記用紙幅検出手段の上流側には、用紙有無センサが配設されていることを特徴とし、また、請求項３の発明は、前記前記用紙幅検出手段を構成するセンサが、用紙載置部に載置される用紙の前端位置から最大用紙長さの１／２以内の位置に配置され、一方前記用紙有無センサが、用紙載置部の前端部から最大用紙長さの１／２の位置よりも上流側の位置に配置されていることを特徴とする。
【発明の効果】
【０００８】
本発明の用紙サイズ検出装置によれば、幅寄ガイド部材を用紙載置部上に置かれた用紙の側部に沿うようスライド移動させると、幅寄ガイド部材の裏面に垂設された作用片が、用紙の幅サイズに応じて複数の用紙幅検出センサを同時にオンとする場合、いずれかのセンサを単独で或いは複数組み合わさってオンとする場合、或いはすべてのセンサをオンとしない場合、等複数のオン・オフパターンが発現し、これらの複数のオン・オフパターンによって用紙の幅サイズが判定可能となる。従って、給紙可能なサイズの異なる用紙の種類に応じた数のセンサを設置する必要がなく、また、フォトセンサやリミットスイッチ等、市販の簡易な各種センサが充当可能で、構造簡単且つ低コストで構成することができる。そして、請求項２或いは３の用紙有無センサによる検出情報と組合わせれば、用紙の横置き或いは縦置きの違いも含めた多様な用紙サイズの判定が可能とされる。
【発明を実施するための最良の形態】
【０００９】
以下に本発明の最良の実施の形態について図面を参照して説明する。図１はファクシミリ装置や複写機、或いはファクシミリと複写の両機能を備えた所謂複合機における自動原稿送り装置（ＡＤＦ）１の要部の縦断面図を示すものである。図例のＡＤＦ１は、シートものの原稿Ｄを１枚ずつ搬送しながら、その両面の画像を読み取って、それぞれデジタル信号として出力するための自動原稿送り装置として構成されている。
【実施例】
【００１０】
ＡＤＦ１の原稿供給口部２Ａには、原稿トレイ２が該原稿供給口部２Ａに向かって下方に傾斜するよう着脱自在に装着され、この原稿供給口部２Ａと原稿トレイ２とにより原稿載置部（用紙載置部）２Ｂが構成されている。原稿供給口部２Ａ上には、原稿載置部２Ｂに堆積された原稿（用紙）Ｄを上層部より繰出すピックアップローラ３が配設され、このピックアップローラ３に引き続き、繰出された原稿を１枚ずつ分離して給送する原稿分離手段４が装備されている。該原稿分離手段４は、分離ローラ４ａとこの分離ローラ４ａの周体に弾接するよう付勢された分離パッド４ｂとからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。圧縮スプリング４ｃは、分離パッド４ｂを分離ローラ４ａの周体に弾接させる為のものである。
【００１１】
上記原稿分離手段４により１枚ずつ分離された原稿は、Ｕターン状に形成された原稿搬送路５に沿って順次配設されたレジストローラ６、第１搬送ローラ７及び第２搬送ローラ８によりレジスト搬送されて第１の読取ポイント（読取部）Ｐ１に至り、更に第３搬送ローラ９により第２の読取ポイントＰ２に給送され、排出ローラ１０により排出トレイ１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１２】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１３】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレイ２及び排出トレイ１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１４】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。即ち、密着型イメージセンサ１６とプラテンローラ１７との間に導入される原稿は、プラテンローラ１７の回転により密着型イメージセンサ１６の読取面を摺接しながら給送され、この間原稿の裏面画像が密着型イメージセンサ１６により読取られ、電気信号に変換されてデジタル信号として出力される。
【００１５】
上記分離ローラ４ａ、レジストローラ６、第１〜第３搬送ローラ７〜９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。
【００１６】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００１７】
斯く構成されたピックアップローラ３は、待機状態ではフレーム３ａをして上方に位置し、上記駆動軸４ｄが正回転（Ａ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００１８】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００１９】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２０】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、レジストローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２１】
原稿載置部２Ｂの原稿トレイ２には、原稿（用紙）幅検出手段（センサ）２２及び原稿（用紙）有無センサ２３が、また、第２搬送ローラ８の上流側近傍にはリードセンサ２４が、夫々配設されている。その他、図示はしないが、レジストローラ６の上流側近傍にレジストセンサ等が適宜配設される。リードセンサ２４は、第２搬送ローラ８や読取走査装置１３を動作制御する為の信号を出力するものであり、リードセンサ２４が給送原稿の先端を検出すると、不図示の制御手段は、その検出信号に基づき第２搬送ローラ８を作動して読取ポイントＰに原稿をレジスト搬送すべく制御すると共に、読取走査装置１３をこの原稿の給送に同期させて動作制御する。レジストセンサも、その検出信号に基づき、上記制御手段をしてレジストローラ６の作動制御を行う。
【００２２】
次に原稿トレイ２の詳細について説明する。図２は原稿トレイ２の斜視図、図３は同平面図、図４は図３のＸ−Ｘ線断面図、図５は図４のＹ−Ｙ線断面図である。図における原稿トレイ２は複数の合成樹脂の成型品パーツを組合わせて構成されている。底板２ａ及び天板の２ｂの一部２ｃ、２ｄは透明樹脂からなり、排出トレイ１１（図１参照）上の排出原稿が上から透視確認できるようになされている。この原稿トレイ２は、先側両端のヒンジ部２ｅ、２ｅを支点として前記機体フレーム１９に対して上下揺動可能に取付けられ、排出トレイ１１上の読取済原稿の取出しや搬送路５でのジャム原稿の取出しに便利なようになされている。ヒンジ部２ｅは筒状に形成され、原稿トレイ２の厚み内に設置される後記するセンサ２２ａ、２２ｂ、２３のリード線２５が挿通・導出され、装置内の制御部（不図示）に接続されるようになされている。
【００２３】
原稿トレイ２の上面には、原稿の給紙方向（図３における矢視Ｚ方向）に見て右側端部には固定のガイド壁２ｆが隆起形成されており、原稿トレイ２上には、原稿Ｄをこのガイド壁２ｆを基準にして、所謂右基準でセットされる。天板２ｂ上に刻設されたマーク２ｇは、オペレータに原稿のセット位置を指し示すものである。原稿トレイ２の上面左側部（一側方部）には、幅寄ガイド部材２６が幅方向（Ｚ方向に直交する方向）にスライド可能に設置されている。上記天板２ｂには幅方向のガイド溝２ｈが開設され、幅寄ガイド部材２６の下面に突設されたガイド突片２６ａが、このガイド溝２ｈ内を長手方向に沿って摺動可能且つ抜出不能に挿入されている。これにより、幅寄ガイド部材２６が原稿トレイ２上の幅方向所定の範囲内でスライド可能とされる。
【００２４】
また、原稿トレイ２の左側部で、上記幅寄ガイド部材２６のスライド域の下部には２個のセンサ２２ａ、２２ｂが幅方向に沿って隔設され、この２個のセンサ２２ａ、２２ｂによって原稿幅検出手段２２が構成されている。上記天板２ｂには、この２個のセンサ２２ａ、２２ｂを結ぶ線に沿い且つ上記ガイド溝２ｈに平行な細溝２ｉが開設されており、幅寄ガイド部材２６の下面に垂設された板状の作用片２６ｂが、この細溝２ｉ内に遊挿されている。センサ２２ａ、２２ｂは、発光部と受光部が対向配置された凹形のフォトセンサからなり、上記作用片２６ｂは幅寄ガイド部材２６のスライド動作に伴い、発光部と受光部間の凹部を通過するようになされている。上記センサ２２ａ、２２ｂは、作用片２６ｂにより遮光された時にはオン信号を出力するよう構成され、作用片２６ｂのスライド方向長さは、両センサ２２ａ、２２ｂに跨り得る長さとされている。
【００２５】
上記原稿幅検出手段２２を構成するセンサ２２ａ、２２ｂの相互の間隔、原稿トレイ２の幅方向に沿った位置関係及び作用片２６ｂのスライド方向に沿った長さは以下のように設定される。尚、本実施形態のＡＤＦ１で扱い得る最大原稿サイズをＡ３縦、最小原稿サイズをＡ５横とし、ここでの縦とは、原稿の長手方向が上記Ｚ方向に沿った状態を、また横とは同Ｚ方向に直交する状態を夫々意味する。
【００２６】
即ち、センサ２２ａ、２２ｂの相互の間隔、原稿トレイ２の幅方向に沿った位置関係及び作用片２６ｂのスライド方向に沿った長さは、以下のパターンが全て満たされるよう設定される。
（ａ）Ａ３縦原稿若しくはＡ４横原稿の右側部を、ガイド壁２ｆに沿うよう原稿トレイ２上にセットし、幅寄ガイド部材２６を原稿の左側部に幅寄せした時に、作用片２６ｂがセンサ２２ａのみをオンとする（図４に示す状態）。
（ｂ）Ｂ４縦原稿若しくはＢ５横原稿の右側部を、ガイド壁２ｆに沿うよう原稿トレイ２上にセットし、幅寄ガイド部材２６を原稿の左側部に幅寄せした時に、作用片２６ｂが両センサ２２ａ、２２ｂをオンとする。
（ｃ）Ａ４縦原稿若しくはＡ５横原稿の右側部を、ガイド壁２ｆに沿うよう原稿トレイ２上にセットし、幅寄ガイド部材２６を原稿の左側部に幅寄せした時に、作用片２６ｂがセンサ２２ｂのみをオンとする。
（ｄ）Ｂ５縦原稿若しくはＡ５縦原稿の右側部を、ガイド壁２ｆに沿うよう原稿トレイ２上にセットし、幅寄ガイド部材２６を原稿の左側部に幅寄せした時に、作用片２６ｂがいずれのセンサ２２ａ、２２ｂもオンとしない。
【００２７】
そして、センサ２２ａ、２２ｂの上記Ｚ方向に沿った位置は、図３に示すように、原稿載置部２Ｂ上に置かれた原稿Ｄの前端部Ｄ１から最大原稿長さの１／２の位置（最大原稿がＡ３の場合２１０ｍｍの位置）Ｄ２以内になるよう設定される。
【００２８】
原稿トレイ２の、ガイド壁２ｆ寄り（他側方部）の上記Ｄ２の位置より上流側であって、Ｂ５縦、Ａ４縦、Ｂ４縦及びＡ３縦原稿でオンとなる位置には、原稿有無センサ２３が設置されている。従って、原稿幅検出センサ２２ａ、２２ｂだけでは原稿サイズを確定させることができないが、図６に示すように、２個の原稿幅検出センサ２２ａ、２２ｂの作用片２６ｂによるオン・オフと原稿有無センサ２３のオン・オフの組合せパターンにより、Ａ５横からＡ３縦までの８種類の原稿サイズを各々確定させることができる。
【００２９】
即ち、上記（ａ）の場合で、原稿有無センサ２３がオンの時は、Ａ３縦原稿であり、同原稿有無センサ２３がオフの時は、Ａ４横原稿である。また、（ｂ）の場合で、原稿有無センサ２３がオンの時は、Ｂ４縦原稿であり、同原稿有無センサ２３がオフの時は、Ｂ５横原稿である。更に、（ｃ）の場合で、原稿有無センサ２３がオンの時は、Ａ４縦原稿であり、同原稿有無センサ２３がオフの時は、Ａ５横原稿である。そして、（ｄ）の場合で、原稿有無センサ２３がオンの時は、Ｂ５縦原稿であり、同原稿有無センサ２３がオフの時は、Ａ５縦原稿である。このように、センサの数が少ないにも拘わらず多くの種類の原稿のサイズ確定が可能であり、しかも市販の簡易なセンサが採用可能であるから、画像形成装置の低コスト化、組付け工数の低減化更には制御シークエンスの簡略化に大きく寄与する。
【００３０】
図１において、ピックアップローラ３及び分離ローラ４ａの間の原稿載置部２Ｂ上に出没可能な用紙先端揃え用シャッタ２７が設置されている。このシャッタ２７は、待機状態の時には、原稿載置部２上Ｂに突出し、原稿トレイ２上にセットされる原稿Ｄの先端を、前記Ｄ１の位置に揃えるよう機能するものであり、レジストローラ６の回転に連動して上下揺動するリンク機構（一部図示省略）２８に設けられ、このリンク機構２８の上下揺動により原稿載置部２Ｂ上に出没するよう構成されている。このように、レジストローラ６に機械的に連動させて、シャッタ２７を原稿載置部２Ｂ上に出没させるようにしているから、ソレノイド等の高価な電気部品を用いることなくシャッタ２７の動作機構を簡易に構成することができる。
【００３１】
尚、上記実施例では、原稿トレイ２に対し原稿を所謂右側基準でセットする例を示したが、左側基準或いはセンタ基準であっても良い。センタ基準の場合、原稿有無センサ２３の設置位置に関する他側方部は、上記幅寄ガイド部材２６から見て他方側の位置を意味し、従ってスライド可能な一対の幅寄ガイド部材のスライド範囲を含まないセンタの近傍位置となることもあり得る。また、ＡＤＦにおける例を示したが、プリンタ等を含む画像形成装置における記録紙の手差しトレイにも本発明が適用可能であることは言うまでもない。更に、ＡＤＦとして、両面読取用の例を示したが、片面読取のＡＤＦにも本発明が適用され得ることも言うまでもない。加えて、センサとしてフォトセンサを採用した例を示したが、その他のリミットスイッチ等のように、同様の機能を奏するセンサも採用可能である。
【図面の簡単な説明】
【００３２】
【図１】ＡＤＦと走査装置の要部を示す縦断面図である。
【図２】原稿トレイの斜視図である。
【図３】同平面図である。
【図４】図３のＸ−Ｘ線断面図である。
【図５】図４のＹ−Ｙ線断面図である。
【図６】原稿サイズとセンサのオン・オフパターンとの関係を示す図である。
【符号の説明】
【００３３】
１      ＡＤＦ
２Ｂ    原稿載置部（用紙載置部）
２２    原稿（用紙）幅検出センサ
２３    原稿（用紙）有無検出センサ
２６    幅寄ガイド部材
２６ｂ  作用片
Ｄ      原稿（用紙）
Ｄ１    原稿（用紙）の前端位置
Ｄ２    前端位置から最大原稿（用紙）長さの１／２の位置
【図１】
2005178994.tif 000003
【図２】
2005178994.tif 000004
【図３】
2005178994.tif 000005
【図４】
2005178994.tif 000006
【図５】
2005178994.tif 000007
【図６】
2005178994.tif 000008